(57)【要約】【課題】  コピーできないデータを送信しようとした場合であっても、ユーザが混乱することのない送信装置および受信装置を実現する。【解決手段】  送信装置１は、伝送路３を介してデータを受信装置２に送信できると共に、著作権保護されたデータがデジタル著作物格納部１１に記録されている。デジタル著作物格納部１１が記憶するデータ内には著作権保護されているか否かを示す保護情報が含まれており、送信装置１は、前記保護情報を基に、送信指示されたデータが著作権保護されているか否かを検出する著作権保護検出部１２と、前記データが著作権保護されていると検出された場合に、著作権保護により送信できないことを意味する送信不可データを受信装置２に送信する送信不可通知部１５とを備える。【選択図】  図１
2006309348.tif 000002
【特許請求の範囲】
【請求項１】
伝送路を介してデータを受信装置に送信できると共に、著作権保護されたデータが本体内部に記録されている、もしくは著作権保護されたデータが記録された記録媒体と接続可能な送信装置であって、
送信指示されたデータから得られた著作権保護されているか否かを示す保護情報を基に、送信指示されたデータが著作権保護されているか否かを検出する著作権保護検出手段と、
前記データが著作権保護されていると検出された場合に、著作権保護により送信できないことを意味する送信不可データを前記受信装置に送信する送信不可通知手段と、を備えることを特徴とする送信装置。
【請求項２】
前記送信不可データとは、画像データであることを特徴とする請求項１に記載の送信装置。
【請求項３】
前記送信不可データとは、音声データであることを特徴とする請求項１に記載の送信装置。
【請求項４】
前記送信不可データとは、テキストデータであることを特徴とする請求項１に記載の送信装置。
【請求項５】
前記送信不可データとは、予め定められたフラグデータであることを特徴とする請求項１に記載の送信装置。
【請求項６】
請求項２に記載の送信装置と伝送路を介して接続された受信装置であって、
画像を表示する表示部と、
前記送信不可データとしての画像データを受信した場合、該画像データに対応する画像を前記表示部にて表示する表示制御手段と、を備えていることを特徴とする受信装置。
【請求項７】
請求項３に記載の送信装置と伝送路を介して接続された受信装置であって、
音声を出力する音声出力部と、
前記送信不可データとしての音声データを受信した場合、該音声データに対応する音声を前記音声出力部にて出力する音声出力制御手段と、を備えていることを特徴とする受信装置。
【請求項８】
請求項４に記載の送信装置と伝送路を介して接続された受信装置であって、
画像を表示する表示部と、
前記送信不可データとしてのテキストデータを受信した場合、該テキストデータに対応する文字を前記表示部に表示する表示制御手段と、を備えていることを特徴とする受信装置。
【請求項９】
請求項５に記載の送信装置と伝送路を介して接続された受信装置であって、
画像を表示する表示部と、
前記送信不可データとしてのフラグデータを受信した場合、著作権保護により送信できない旨を示す画像もしくは文字を前記表示部に表示する表示制御手段と、備えていることを特徴とする受信装置。
【請求項１０】
請求項５に記載の送信装置と伝送路を介して接続された受信装置であって、
音声を出力する音声出力部と、
前記送信不可データとしてのフラグデータを受信した場合、著作権保護により送信できない旨を示す音声を前記音声出力部より出力する音声出力制御手段と、を備えていることを特徴とする受信装置。
【請求項１１】
伝送路を介してデータを受信装置に送信できると共に、著作権保護されたデータが本体内部に記録されている、もしくは著作権保護されたデータが記録された記録媒体と接続可能な送信装置における送信方法であって、
送信指示されたデータから得られた著作権保護されているか否かを示す保護情報を基に、送信指示されたデータが著作権保護されているか否かを検出する著作権保護検出ステップと、
前記データが著作権保護されていると検出された場合に、著作権保護により送信できないことを意味する送信不可データを前記受信装置に送信する送信不可通知ステップと、を含むことを特徴とする送信方法。
【請求項１２】
請求項２に記載の送信装置と伝送路を介して接続された受信装置における受信方法であって、
前記受信装置が画像を表示する表示部を備え、
前記送信不可データとしての画像データを受信した場合、該画像データに対応する画像を前記表示部にて表示することを特徴とする受信方法。
【請求項１３】
請求項３に記載の送信装置と伝送路を介して接続された受信装置における受信方法であって、
前記受信装置が音声を出力する音声出力部を備え、
前記送信不可データとしての音声データを受信した場合、該音声データに対応する音声を前記音声出力部にて出力することを特徴とする受信方法。
【請求項１４】
請求項４に記載の送信装置と伝送路を介して接続された受信装置における受信方法であって、
前記受信装置が画像を表示する表示部を備え、
前記送信不可データとしてのテキストデータを受信した場合、該テキストデータに対応する文字を前記表示部に表示することを特徴とする受信方法。
【請求項１５】
請求項５に記載の送信装置と伝送路を介して接続された受信装置における受信方法であって、
前記受信装置が画像を表示する表示部を備え、
前記送信不可データとしてのフラグデータを受信した場合、著作権保護により送信できない旨を示す画像もしくは文字を前記表示部に表示することを特徴とする受信方法。
【請求項１６】
請求項５に記載の送信装置と伝送路を介して接続された受信装置における受信方法であって、
前記受信装置が音声を出力する音声出力部を備え、
前記送信不可データとしてのフラグデータを受信した場合、著作権保護により送信できない旨を示す音声を前記音声出力部より出力することを特徴とする受信方法。
【請求項１７】
請求項１〜５の何れか１項に記載の送信装置を動作させる送信プログラムであって、コンピュータを上記の各手段として機能させるための送信プログラム。
【請求項１８】
請求項６〜１０の何れか１項に記載の受信装置を動作させる受信認証プログラムであって、コンピュータを上記の各手段として機能させるための受信プログラム。
【請求項１９】
請求項１７に記載の送信プログラムまたは請求項１８に記載の受信プログラムを記録したコンピュータ読み取り可能な記録媒体。
【発明の詳細な説明】
【技術分野】
【０００１】
本発明は、著作権保護が必要なデータおよび著作権保護が不必要なデータを伝送路に伝送する送信装置および受信装置に関する。
【背景技術】
【０００２】
近年、携帯電話の多機能化に伴い、例えば、高解像度のカメラ機能により、手軽に撮影し、携帯電話本体やＳＤカードなどの記録媒体に保存し、閲覧するような機会が増えてきた。携帯電話で個人撮影した画像は一般的に著作権保護の必要のないデータである。
【０００３】
また、インターネットの普及により、著作権保護が必要な画像データも、適切な課金システムにより入手可能となり、サーバからダウンロードして携帯電話に保存することが可能となった。このような著作権保護が必要なデータは、コピーの際に暗号化が必要な場合や、まったくコピーできないものも存在する。
【０００４】
従来のデジタル著作物の伝送システム（特許文献１参照）の例を図１０に示す。送信装置５０１は携帯電話、ＰＤＡ(Personal Digital Assistance、ＰＣ(Personal Computer)などのデジタルデータの送信が可能な装置である。
【０００５】
デジタル著作物格納部５１１は、画像、映像、音声などの著作物を含むデジタルデータの格納部である。保護情報検出部５１２は、デジタルデータから検出した著作権保護情報を出力する。選択部５１３は、著作権保護情報が「コピー自由」であることを示す場合、デジタルデータを通信部５１４に出力する。選択部５１３は、著作権保護情報が「コピー自由」以外を示す場合、通信部５１４にデジタルデータを出力しない。
【０００６】
通信部５１４は、伝送路５０３を介して、デジタルデータを受信装置１０７に送信する。受信装置１０７は、例えばＴＶなどの装置である。通信部５２１により受信したデジタルデータは、デコード手段５２２によりデコードされる。デコードされたデータが画像データである場合、画像出力制御部５２３により画像出力の制御が行われ、表示部５２４に表示される。
【０００７】
以上の構成によれば、「コピー自由」でない、すなわち著作権保護が必要な著作物は、伝送路５０３に出力されない。したがって、伝送路５０３を介して、著作権保護対策が必要な著作物を含むデジタルデータが受信装置にコピーされることを防止している。
【特許文献１】特開２０００−３２４０９７号公報（公開日２０００年１１月２４日）
【発明の開示】
【発明が解決しようとする課題】
【０００８】
しかしながら、上記従来技術では、著作権保護されたデジタルデータの送信指示を行っても、該デジタルデータが送信されないため、ユーザは、なぜデジタルデータを受信側が受信できないのかわからず、混乱を招来することがあるという課題を有している。
【０００９】
まず、携帯電話からＴＶに画像データを送信して、ＴＶに画像データを表示するようなアプリケーションについて考える。携帯電話においては、携帯電話内蔵のカメラにより撮影された画像データとインターネットでダウンロードしてきた画像データが保存されているものとする。内蔵カメラにより撮影された画像は一般的に著作権保護が必要でないデータであり、コピーが可能である。一方、インターネットでダウンロードしてきた画像データは、著作権保護によりコピーできないものとする。
【００１０】
送信の手順として、画像選択後、あらかじめ定められた送信ボタンを押すことにより、送信するものとする。コピーできない画像が選択されている場合は、送信ボタンを押しても送信が行われないため、ＴＶには何も表示されない。
【００１１】
このような状況において、仮に携帯電話内の表示画面に、選択された画像がコピーできるかどうかの表示が行われていたとしても、ユーザは、通常ＴＶ画面を見ながらボタン操作を行っているため、コピー可能であるかどうかの判別を行うことは困難である。
【００１２】
また、特許文献１では、著作権保護が必要なデータを劣化させることにより、記録機能を持たないＴＶに出力することが記載されているが、著作権をもつ者の意図とは異なる劣化の度合いにより、出力される可能性も有り、著作権保護が適切に行われない可能性もある。また、劣化による出力も許されないデジタルデータに関しては、送信しないという選択肢しかなく、この場合、やはりＴＶに何も出力されないため、ユーザが混乱する可能性がある。
【００１３】
本発明の目的は、コピーできないデータを送信しようとした場合であっても、ユーザが混乱することのない送信装置および受信装置を実現することにある。
【課題を解決するための手段】
【００１４】
本発明の送信装置は、上記の課題を解決するために、伝送路を介してデータを受信装置に送信できると共に、著作権保護されたデータが本体内部に記録されている、もしくは著作権保護されたデータが記録された記録媒体と接続可能な送信装置であって、送信指示されたデータから得られた著作権保護されているか否かを示す保護情報を基に、送信指示されたデータが著作権保護されているか否かを検出する著作権保護検出手段と、前記データが著作権保護されていると検出された場合に、著作権保護により送信できないことを意味する送信不可データを前記受信装置に送信する送信不可通知手段と、を備えることを特徴とする。
【００１５】
また、本発明の送信方法は、伝送路を介してデータを受信装置に送信できると共に、著作権保護されたデータが本体内部に記録されている、もしくは著作権保護されたデータが記録された記録媒体と接続可能な送信装置における送信方法であって、送信指示されたデータから得られた著作権保護されているか否かを示す保護情報を基に、送信指示されたデータが著作権保護されているか否かを検出する著作権保護検出ステップと、前記データが著作権保護されていると検出された場合に、著作権保護により送信できないことを意味する送信不可データを前記受信装置に送信する送信不可通知ステップと、を含むことを特徴とする。
【００１６】
ここで、保護情報は、データ内に埋め込まれていてもよく、データを識別するデータ識別情報と対応付けて保護情報格納部に記憶されていてもよい。保護情報がデータ内に埋め込まれている場合、保護情報検出部は、データを読み取る際に、埋め込まれた保護情報を検出する。また、データ識別情報と保護情報とが対応付けて保護情報格納部に記憶されている場合、保護情報検出部は、送信指示されたデータのデータ識別情報に対応する保護情報を保護情報格納部から読み出すことで保護情報を検出する。
【００１７】
上記の構成または方法によれば、データ内に含まれている保護情報もしくはデータと対応付けて記憶している保護情報を基に、送信するデータが著作権保護されているか否かを検出することができる。そして、著作権保護されている場合、送信できない旨を示す送信不可データを受信装置に送信する。
【００１８】
これにより、著作権保護されたデータのコピーを防止することができる。また、受信装置が送信不可データを出力することができるため、ユーザは、著作権保護のためにデータの送信ができないことを認識することができる。この結果、例えば、ユーザが送信装置を操作して受信装置にデータを送信しようとしたとき、このデータが著作権保護によりコピーできない場合であっても、ユーザが混乱することがない。
【００１９】
さらに、本発明の送信装置は、上記の構成に加えて、前記送信不可データとは、画像データであることを特徴とする。
【００２０】
また、本発明の受信装置は、上記の送信装置と伝送路を介して接続された受信装置であって、画像を表示する表示部と、前記送信不可データとしての画像データを受信した場合、該画像データに対応する画像を前記表示部にて表示する表示制御手段と、を備えていることを特徴とする。
【００２１】
また、本発明の受信方法は、上記の送信装置と伝送路を介して接続された受信装置における受信方法であって、前記受信装置が画像を表示する表示部を備え、前記送信不可データとしての画像データを受信した場合、該画像データに対応する画像を前記表示部にて表示することを特徴とする。
【００２２】
上記の構成および方法によれば、送信装置が著作権保護により送信できないことを意味する画像データを送信し、受信装置が該画像データに対応する画像を表示部に表示する。これにより、ユーザは、著作権保護によりデータが送信されない旨を視覚によって容易に認識することができる。
【００２３】
さらに、本発明の送信装置は、上記の構成に加えて、前記送信不可データとは、音声データであることを特徴とする。
【００２４】
また、本発明の受信装置は、上記の送信装置と伝送路を介して接続された受信装置であって、音声を出力する音声出力部と、前記送信不可データとしての音声データを受信した場合、該音声データに対応する音声を前記音声出力部にて出力する音声出力制御手段と、を備えていることを特徴とする。
【００２５】
また、本発明の受信方法は、上記の送信装置と伝送路を介して接続された受信装置における受信方法であって、前記受信装置が音声を出力する音声出力部を備え、前記送信不可データとしての音声データを受信した場合、該音声データに対応する音声を前記音声出力部にて出力することを特徴とする。
【００２６】
上記の構成および方法によれば、送信装置が著作権保護により送信できないことを意味する音声データを送信し、受信装置が該音声データに対応する音声を音声出力部で出力する。これにより、ユーザは、著作権保護によりデータが送信されない旨を聴覚によって容易に認識することができる。
【００２７】
さらに、本発明の送信装置は、上記の構成に加えて、前記送信不可データとは、テキストデータであることを特徴とする。
【００２８】
また、本発明の受信装置は、上記の送信装置と伝送路を介して接続された受信装置であって、画像を表示する表示部と、前記送信不可データとしてのテキストデータを受信した場合、該テキストデータに対応する文字を前記表示部に表示する表示制御手段と、を備えていることを特徴とする。
【００２９】
また、本発明の受信方法は、上記の送信装置と伝送路を介して接続された受信装置における受信方法であって、前記受信装置が画像を表示する表示部を備え、前記送信不可データとしてのテキストデータを受信した場合、該テキストデータに対応する文字を前記表示部に表示することを特徴とする。
【００３０】
上記の構成および方法によれば、送信装置が著作権保護により送信できないことを意味するテキストデータを送信し、受信装置が該テキストデータに対応する文字を表示部で表示する。これにより、ユーザは、著作権保護によりデータが送信されない旨を視覚によって容易に認識することができる。また、送信不可データが文字情報のみを含むテキストデータであるため、送信不可データのデータ容量を小さくすることができる。
【００３１】
さらに、本発明の送信装置は、上記の構成に加えて、前記送信不可データとは、予め定められたフラグデータであることを特徴とする。
【００３２】
また、本発明の受信装置は、上記の送信装置と伝送路を介して接続された受信装置であって、画像を表示する表示部と、前記送信不可データとしてのフラグデータを受信した場合、著作権保護により送信できない旨を示す画像もしくは文字を前記表示部に表示する表示制御手段と、備えていることを特徴とする。
【００３３】
また、本発明の受信方法は、上記の送信装置と伝送路を介して接続された受信装置における受信方法であって、前記受信装置が画像を表示する表示部を備え、前記送信不可データとしてのフラグデータを受信した場合、著作権保護により送信できない旨を示す画像もしくは文字を前記表示部に表示することを特徴とする。
【００３４】
上記の構成および方法によれば、送信装置が著作権保護により送信できないことを意味する予め定められたフラグデータを送信し、該フラグデータを受信した受信装置が著作権保護により送信できない旨を示す画像もしくは文字を表示部に表示する。これにより、ユーザは、著作権保護によりデータが送信されない旨を視覚によって容易に認識することができる。また、送信不可データがフラグデータであるため、送信不可データのデータ容量を一層小さくすることができる。
【００３５】
また、本発明の受信装置は、上記の送信装置と伝送路を介して接続された受信装置であって、音声を出力する音声出力部と、前記送信不可データとしてのフラグデータを受信した場合、著作権保護により送信できない旨を示す音声を前記音声出力部より出力する音声出力制御手段と、を備えていることを特徴とする。
【００３６】
また、本発明の受信方法は、上記の送信装置と伝送路を介して接続された受信装置における受信方法であって、前記受信装置が音声を出力する音声出力部を備え、前記送信不可データとしてのフラグデータを受信した場合、著作権保護により送信できない旨を示す音声を前記音声出力部より出力することを特徴とする。
【００３７】
上記の構成および方法によれば、送信装置が著作権保護により送信できないことを意味する予め定められたフラグデータを送信し、該フラグデータを受信した受信装置が著作権保護により送信できない旨を示す音声を音声出力部に出力する。これにより、ユーザは、著作権保護によりデータが送信されない旨を聴覚によって容易に認識することができる。また、送信不可データがフラグデータであるため、送信不可データのデータ容量を一層小さくすることができる。
【００３８】
なお、上記送信装置または受信装置は、コンピュータによって実現してもよく、この場合には、コンピュータを上記各手段として動作させることにより上記送信装置または受信装置をコンピュータにて実現させる送信装置または受信装置の認証プログラム、およびそれを記録したコンピュータ読み取り可能な記録媒体も、本発明の範疇に入る。
【発明の効果】
【００３９】
以上のように、本発明の送信装置は、著作権保護されているか否かを示す保護情報が前記データ内に含まれている、もしくは、著作権保護されているか否かを示す保護情報とデータとを対応付けて予め記憶しており、前記保護情報を基に、送信指示されたデータが著作権保護されているか否かを検出する著作権保護検出手段と、前記データが著作権保護されていると検出された場合に、著作権保護により送信できないことを意味する送信不可データを受信装置に送信する送信不可通知手段と、を備える。
【００４０】
これにより、著作権保護されたデータのコピーを防止することができる。また、受信装置が送信不可データを出力することができるため、ユーザは、著作権保護のためにデータの送信ができないことを認識することができる。この結果、例えば、ユーザが送信装置を操作して受信装置にデータを送信しようとしたとき、このデータが著作権保護によりコピーできない場合であっても、ユーザが混乱することがない。
【発明を実施するための最良の形態】
【００４１】
本発明の実施の各形態について図１ないし図１０に基づいてそれぞれ説明すると以下の通りである。
【００４２】
（第１の実施の形態）
図１は本発明の第１の実施の形態に係る送信装置１および受信装置２を示すブロック図である。送信装置１は、デジタル化されたデータ（デジタルデータ）を受信装置２に送信する装置であり、たとえば携帯電話、ＰＤＡ、ＰＣなどであるがこれに限るものではない。受信装置２は、送信装置１からのデジタルデータを受信する装置である。送信装置１と受信装置２とは、伝送路３を介して、デジタルデータの送受信を行う。
【００４３】
伝送路３は、デジタルデータを伝送可能なものである。伝送路３の物理的形態は、例えば、ツイストペアや同軸ケーブルなどの電気信号の有線伝送路や、プラスチックやガラスなどの光ファイバや、電磁波や赤外線などの無線伝送路などであり、任意の物理形態を選択できる。
【００４４】
また、デジタルデータの伝送方法としても、例えば、イーサネット（登録商標）、ＡＴＭ、トークンリングやＩＥＥＥ１３９４、ＩｒＤＡなど任意のデータ転送方法を選択することができる。
【００４５】
図１に示されるように、送信装置１は、デジタル著作物格納部１１、保護情報検出部（著作権保護検出手段）１２、選択部１３、通信部１４、送信不可通知部（送信不可通知手段）１５および著作権保護通知用画像格納部１６を備えている。また、送信装置１は、図示しない操作部を備えており、操作部を介してユーザからデジタルデータの送信指示を受ける。
【００４６】
デジタル著作物格納部１１は、デジタル化された静止画や動画であるデジタル著作物を含むデジタルデータの格納部である。本実施形態におけるデジタルデータとしては、例えば、ＪＰＥＧ（Joint Photographic Experts Group）などの静止画像やＭＰＥＧ（Moving Picture Expert Group）などの動画像であるが、著作権保護が必要なデータであれば、これに限るものではない。
【００４７】
なお、デジタル著作物格納部２０２が格納しているデジタルデータは、図２に示されるように、データ部４１と、著作権保護情報部４２とを含む。データ部４１は、デジタル化された静止画や動画のデータが格納されている領域である。
【００４８】
著作権保護情報部４２は、デジタルデータの著作権保護情報が格納されている領域である。著作権保護情報としては、例えば、ＣＧＭＳ(Copy Generation Management System)がある。ＣＧＭＳは、「コピー不可」か、「１世代コピー可」か、「コピー自由」かを示すフラグをデジタルデータに埋め込む方法である。なお、著作権保護情報はこれに限られるものではなく、少なくとも、コピー自由か否かを示す１ビット以上の情報があればよく、任意の形態を用いることができる。
【００４９】
保護情報検出部１２は、送信が指示されたデジタルデータをデジタル著作物格納部２０２から抽出し、抽出したデジタルデータに埋め込まれた著作物保護情報部４２から著作権保護情報を読み取るものである。
【００５０】
さらに、保護情報検出部１２は、検出した著作権保護情報を選択部１３および送信付加通知部１５に出力する。なお、保護情報検出部１２が出力する情報は、任意の形態でよいが、少なくとも「コピー自由」か否かを示す１ビット以上の情報であればよい。本実施形態においては、保護情報検出部１２はデジタルデータ内に含まれている著作権保護情報をそのまま出力するものとする。
【００５１】
また、デジタルデータ内に著作権保護情報部４２が含まれていない場合、保護情報検出部１２は、予め定められた著作権保護情報（本実施形態では「コピー自由」を示す著作権保護情報とする）を選択部１３および送信付加通知部１５に出力するものとする。
【００５２】
選択部１３は、保護情報検出部１２からの著作権保護情報に応じて、デジタルデータを送信すべきか否かを選択するものである。著作権保護情報が「コピー自由」を示す場合、選択部１３は、送信指示されたデジタルデータをデジタル著作物格納部１１から読み出し、通信部１４を介して、読み出したデジタルデータを伝送路３に送信する。一方、著作権保護情報が「コピー自由」でない場合、選択部１３は、送信指示されたデジタルデータの送信を中止する。
【００５３】
著作権保護通知用画像格納部１６は、送信指示されたデジタルデータを著作権保護のために送信できないことを意味する送信不可データである画像（著作権保護通知用画像）を格納するものである。なお、著作権保護通知用画像格納部１６が格納している著作権保護通知用画像は、静止画データであっても動画データであってもよく、デジタル著作物格納部１１に格納されているデジタルデータのフォーマット（データ形式）と同一でなくてもよい。
【００５４】
また、著作権保護通知用画像格納部１６には予め生成された著作権保護通知用画像が格納されていてもよいし、保護情報検出部１２が「コピー自由」以外の著作権保護情報を読み取った後に図示しない画像生成部で生成された著作権保護通知用画像が格納されてもよい。
【００５５】
送信不可通知部１５は、保護情報検出部１２からの著作権保護情報が「コピー自由」でない場合に、送信できない旨を通知するための送信不可データを受信装置２に送信するものである。なお、本実施形態の送信不可通知部１５は、保護情報検出部１２から「コピー自由」ではない著作権保護情報を受けたとき、著作権保護通知用画像格納部１６から著作権保護通知用画像を読み出し、通信部１４および伝送路３を介して、読み出した著作権保護通知用画像を受信装置２に送信する。
【００５６】
次に、受信装置２の構成について説明する。受信装置２は、伝送路３を介して、送信装置１から送信されるデジタルデータを受信する装置である。
【００５７】
図１に示されるように、受信装置２は、通信部２１、画像デコード部２２、画像出力制御部（表示制御手段）２３および著作権保護通知用画像デコード部２４を備えるとともに、表示部２５と接続されている。
【００５８】
通信部２１は、伝送路３を介して送信装置１との間でデジタルデータの送受信を行うものである。通信部２１は、送信装置１から送信不可データ（本実施形態では著作権保護通知用画像データ）を受信した場合、受信した著作権保護通知用画像データを著作権保護通知用画像デコード部２４に出力する。一方、通信部２１は、送信装置１から送信不可データでないデジタルデータを受信した場合、受信したデジタルデータを画像デコード部２２に出力する。
【００５９】
画像デコード部２２は、通信部２１から受けたデジタルデータをデコードし、デコードした画像を画像出力制御部２３に出力するものである。
【００６０】
著作権保護通知用画像デコード部２４は、通信部２１から受けた著作権保護通知用画像データをデコードし、デコードした著作権保護通知用画像を画像出力制御部２３に出力するものである。
【００６１】
なお、著作権保護通知用画像データのフォーマットが画像デコード部２２のフォーマットと同一である場合は、画像デコード部２２が著作権保護通知用画像デコード部２４を兼ねてもよい。
【００６２】
画像出力制御部２３は、デコードされた画像データを表示部２５に出力するための処理を行うところである。画像出力制御部２３は、表示部２５へのインタフェースがアナログである場合、例えばＤ／Ａ変換を行い、表示部２５へのインタフェースがデジタルである場合、そのまま出力する。また、画像出力制御部２３は、表示部２５へのインタフェース（例えば、ＲＧＢ，ＹＣｒＣｂなど）に合わせて出力してもよい。画像出力制御部２４は、表示部２５へのインタフェースにあった信号を出力できれば、その形態は問わない。
【００６３】
表示部２５は、例えば液晶ディスプレイであり、上記画像出力制御部２３の制御に従って画像を表示する。なお、表示部２５は、受信装置２の内部に設けられていてもよい。
【００６４】
次に、本実施形態におけるデジタルデータの送信処理の流れについて図４のフローチャートを参照しながら説明する。
【００６５】
デジタルデータの送信指示を受けると、保護情報検出部１２は、送信指示のあったデジタルデータをデジタル著作物格納部１１から読み出し、読み出したデジタルデータ内の著作権保護情報部４２から著作権保護情報を検出する（Ｓ１）。
【００６６】
そして、保護情報検出部１２は、検出した著作権保護情報を選択部１３および送信不可通知部１５に出力する。
【００６７】
なお、デジタルデータ内に著作権保護情報が含まれていない場合、保護情報検出部１２は、「コピー自由」を示す著作権保護情報を選択部１３および送信付加通知部１５に出力する。
【００６８】
次に、著作権保護情報を受け取った選択部１３および送信付加通知部１５は、受け取った著作権保護情報が「コピー自由」か否かを判断する（Ｓ２）。
【００６９】
著作権保護情報が「コピー自由」である場合（Ｓ２でＹｅｓ）、選択部１３は、送信指示のあったデジタルデータをデジタル著作物格納部１１から読み出す（Ｓ３）。その後、選択部１３は、読み出したデジタルデータを、通信部１４および伝送路３を介して、受信装置２に送信する（Ｓ４）。そして、送信処理を終了する。
【００７０】
一方、著作権保護情報が「コピー自由」でない場合（Ｓ２でＮｏ）、選択部１３は送信指示のあったデジタルデータの送信を中止し、送信不可通知部１５は著作権保護通知用画像格納部１６から著作権保護通知用画像データを読み出す（Ｓ５）。そして、送信不可通知部１５は、読み出した著作権保護通知用画像データを、通信部１４および伝送路３を介して、受信装置２に送信する（Ｓ６）。そして、送信処理を終了する。
【００７１】
次に、受信装置２におけるデータの受信処理の流れについて図５のフローチャートを参照しながら説明する。
【００７２】
まず、通信部２１は、受けたデータが送信不可データ（本実施形態では著作権保護通知用画像データ）であるのか、その以外のデジタルデータ（本実施形態では画像データ）であるのかを判断する（Ｓ１１）。
【００７３】
著作権保護通知用画像データでない画像データの場合、通信部２１は、該画像データを画像デコード部２２に出力する。そして、画像デコード部２２は、画像データのデコード処理を行う（Ｓ１２）。その後、画像出力制御部２３は、Ｓ１２でデコードされた画像データに対して所定の処理（例えば、Ｄ／Ａ変換処理など）を行い、表示部２５に画像を表示する（Ｓ１３）。これにより、ユーザは、送信指示した画像データの画像を見ることができる。
【００７４】
一方、著作権保護通知用画像データの場合、通信部２１は、該著作権保護通知用画像データを著作権保護通知用画像デコード部２４に出力する。そして、著作権保護通知用画像デコード部２４は、著作権保護通知用画像データのデコード処理を行う（Ｓ１４）。その後、画像出力制御部２３は、Ｓ１４でデコードされた著作権保護通知用画像データに対して所定の処理（例えば、Ｄ／Ａ変換処理など）を行い、表示部２５に著作権保護通知用画像を表示する（Ｓ１３）。
【００７５】
これにより、ユーザは、送信指示したデジタルデータが著作権保護のために送信できないことを容易に認識することができる。
【００７６】
なお、上記の説明では、デジタルデータの中に著作権保護情報が埋め込まれており、保護情報検出部１２がデジタルデータの中から著作権保護情報を検出するものとした。しかしながら、著作権保護情報の格納先はこれに限られるものではない。例えば、著作権保護情報がデジタルデータとは別の場所に管理されていてもよい。
【００７７】
例えば、送信装置１は、図６に示されるような構成であってもよい。図６に示す送信装置１は、デジタル著作物格納部１１に格納されている各デジタルデータを識別するデータ識別情報（ここではデータ名とする）と、該デジタルデータの著作権保護情報とを対応付けた保護情報テーブルを記憶する保護情報格納部１０を備える。図３は、保護情報格納部１０が記憶する保護情報テーブルの一例を示す図である。図示されるように、保護情報格納部１０は、例えば、デジタルデータ名「ＡＡＡ」と著作権保護情報「コピー不可」とを対応付けて記憶している。
【００７８】
そして、保護情報検出部１２は、図示しない操作部からデジタルデータの送信指示を受けると、送信指示のあったデジタルデータ名に対応する著作権保護情報を保護情報格納部１０から読み出し、読み出した著作権保護情報を選択部１３および送信不可通知部１５に出力すればよい。
【００７９】
以上により、著作権保護情報がデジタルデータとは別の場所に管理されている場合であっても、保護情報検出部１２は、保護情報格納部１０を参照して著作権保護情報を選択部１３および送信不可通知部１５に出力することができる。これにより、送信不可通知部１５は、著作権保護情報が「コピー自由」でない場合、送信できない旨を示す送信不可データ（本実施形態では著作権保護通知用画像データ）を受信装置２に送信することができる。
【００８０】
（第２の実施の形態）
本発明のデジタル著作物伝送システムに関する他の実施形態について、図７に基づいて説明すれば、以下のとおりである。なお、説明の便宜上、前記第１の実施の形態にて説明した図面と同じ機能を有する部材については、同じ符号を付記し、その説明を省略する。
【００８１】
図７は、本実施形態に係る送信装置１０１および受信装置１０２の構成を示すブロック図である。
【００８２】
送信装置１０１は、上記送信装置１と比較して、デジタル著作物格納部１１の代わりにデジタル著作物格納部１１１を、著作権保護通知用画像格納部１６の代わりに著作権保護通知用音声格納部１７を備えている点で異なる。
【００８３】
デジタル著作物格納部１１１は、デジタル化された音声データであるデジタル著作物を含むデジタルデータを記憶している。デジタル化された音声データとしては、例えば、ＭＰ３(ＭＰＥＧ１ Audio Layer 3)であるが、著作権保護が必要なデータであれば、これに限るものではない。また、デジタル著作物格納部１１１が格納しているデジタルデータは、図２に示されるように、データ部４１と著作物保護情報部４２とを含む。
【００８４】
これにより、上記第１の実施の形態と同様に、保護情報検出部１２は、送信指示されたデジタルデータをデジタル著作物格納部１１１から読み出し、読み出したデジタルデータの著作物保護情報部４２から著作物保護情報を読み取ることができる。
【００８５】
著作物保護通知用音声格納部１７は、送信指示されたデジタルデータを著作権保護のために送信できないことを意味する送信不可データである音声データ（著作権保護通知用音声データ）を記憶するものである。なお、著作権保護通知用音声格納部１７が格納している著作権保護通知用音声データは、デジタル著作物格納部１１に格納されているデジタルデータのフォーマット（データ形式）と同一でなくてもよい。
【００８６】
また、著作権保護通知用音声格納部１７には予め生成された著作権保護通知用音声データが格納されていてもよいし、保護情報検出部１２が「コピー自由」以外の著作権保護情報を読み取った後に図示しない音声生成部で生成された著作権保護通知用音声データが格納されてもよい。
【００８７】
なお、本実施形態の送信不可通知部１５は、保護情報検出部１２から「コピー自由」ではない著作物保護情報を受けたとき、送信不可データとして、著作物保護通知用音声格納部１７から著作物保護通知用音声データを読み出し、通信部２０５を介して、該著作物保護通知用音声データを伝送路２０６に送信するものとする。
【００８８】
このように、送信装置１０１は、送信指示されたデジタルデータが著作権保護のため送信できない場合、送信不可データである著作権保護通知用音声データを受信装置１０２に送信する。
【００８９】
また、図７に示されるように、受信装置１０２は、通信部２１、音声デコード部２６、音声出力制御部（音声出力制御手段）２７および著作権保護通知用音声デコード部２８を備えるとともに、音声出力部２９と接続されている。
【００９０】
なお、本実施形態における通信部２１は、送信不可データとして著作権保護通知用音声データを受信し、受信した著作権保護通知用音声データを著作権保護通知用音声デコード部２８に出力するものとする。
【００９１】
音声デコード部２６は、通信部２１から受けたデジタルデータをデコードし、デコードした音声データを音声出力制御部２７に出力するものである。
【００９２】
著作権保護通知用音声デコード部２８は、通信部２１から受けた著作権保護通知用音声データをデコードし、デコードした著作権保護通知用音声データを音声出力制御部２７に出力するものである。
【００９３】
なお、著作権保護通知用音声データのフォーマットが音声デコード部２６のフォーマットと同一である場合は、音声デコード部２６が著作権保護通知用音声デコード部２８を兼ねてもよい。
【００９４】
音声出力制御部２７は、デコードされた音声データを音声出力部２９に出力するの処理を行うところである。音声出力制御部２７は、例えばＤ／Ａ変換を行い、アナログ信号を音声出力部２９に出力する。
【００９５】
音声出力部２９は、例えばスピーカであり、上記音声出力制御部２７の制御に従って音声を出力する。なお、音声出力部２９は、受信装置１０２の内部に設けられていてもよい。
【００９６】
本実施形態におけるデータの送受信処理の流れは、図４および図５に示した上記第１の実施の形態と比較して、送信不可データとして著作権保護通知用音声データが送受信され、デジタルデータとして音声データが送受信される点で異なるだけである。よって、ここでは詳細な説明を省略する。
【００９７】
本実施形態によれば、ユーザは、送信指示した音声データがそのまま音声として受信装置１０２により出力されれば、著作権保護が必要でないことを認識することができる。さらに、ユーザは、著作権保護通知用音声が受信装置１０２により出力されることで、送信しようとした音声データが著作権保護のために送信できないことを容易に認識することができる。
【００９８】
（第３の実施の形態）
本発明のデジタル著作物伝送システムに関する他の実施形態について、図８に基づいて説明すれば、以下のとおりである。なお、説明の便宜上、前記第１の実施の形態にて説明した図面と同じ機能を有する部材については、同じ符号を付記し、その説明を省略する。
【００９９】
図８は、本実施形態に係る送信装置２０１および受信装置２０２の構成を示すブロック図である。
【０１００】
送信装置２０１は、上記送信装置１と比較して、デジタル著作物格納部１１の代わりにデジタル著作物２１１を、著作権保護通知用画像格納部１６の代わりに著作権保護通知用テキスト格納部１８を備えている点で異なる。
【０１０１】
デジタル著作物格納部２１１は、デジタル化された静止画や動画や音声であるデジタル著作物を含むデジタルデータを記憶している。デジタルデータとしては、例えば、ＪＰＥＧなどの静止画像、ＭＰＥＧなどの動画像、ＭＰ３などの音声データであるが、著作権保護が必要なデータであれば、これに限るものではない。また、デジタル著作物格納部３０２が格納しているデジタルデータは、図２に示されるように、データ部４１と著作物保護情報部４２とを含む。
【０１０２】
これにより、上記第１の実施の形態と同様に、保護情報検出部１２は、送信指示されたデジタルデータをデジタル著作物格納部２１１から読み出し、読み出したデジタルデータの著作物保護情報部４２を基に、著作物保護情報を読み取ることができる。
【０１０３】
著作物保護通知用テキスト格納部１８は、送信指示されたデジタルデータを著作権保護のために送信できないことを意味する送信不可データであるテキストデータ（著作権保護通知用テキストデータ）を記憶するものである。著作権保護通知用テキスト格納部１８には予め生成された著作権保護通知用テキストデータが格納されていてもよいし、保護情報検出部１２が「コピー自由」以外の著作権保護情報を読み取った後に図示しないテキスト生成部で生成された著作権保護通知用テキストデータが格納されてもよい。
【０１０４】
なお、本実施形態の送信不可通知部１５は、保護情報検出部１２から「コピー自由」ではない著作物保護情報を受けたとき、送信不可データとして、著作物保護通知用テキスト格納部１８から著作物保護通知用テキストデータを読み出し、通信部１４を介して、該著作物保護通知用テキストデータを伝送路３に送信するものとする。
【０１０５】
このように、送信装置２０１は、送信指示されたデジタルデータが著作権保護のため送信できない場合、送信不可データである著作権保護通知用テキストデータを受信装置２０２に送信する。
【０１０６】
また、図８に示されるように、受信装置２０２は、通信部２１、画像／音声デコード部３０、出力制御部（表示制御手段）３１および著作権保護通知用テキストデコード部３２を備えるとともに、出力部３３と接続されている。
【０１０７】
なお、本実施形態における通信部２１は、送信不可データとして著作権保護通知用テキストデータを受信し、受信した著作権保護通知用テキストデータを著作権保護通知用テキストデコード部３２に出力するものとする。
【０１０８】
画像／音声デコード部３０は、通信部２１から受けたデジタルデータをデコードし、デコードした画像データ又は音声データを出力制御部３１に出力するものである。
【０１０９】
著作権保護通知用テキストデコード部３２は、通信部２１から受けた著作権保護通知用テキストデータをデコードし、デコードした著作権保護通知用テキストデータを出力制御部３１に出力するものである。
【０１１０】
出力部３３は、表示部３３ａおよび音声出力部３３ｂを備えている。表示部３３ａは、例えば、液晶ディスプレイである。また、音声出力部３３ｂは、例えば、スピーカである。なお、出力部３３は、受信装置２０２の内部に設けられていてもよい。
【０１１１】
出力制御部３１は、画像／音声デコード部３０から受けた画像データ及び音声データ、並びに著作権保護通知用テキストデコード部３２から受けた著作権保護通知用テキストデータを出力部３３に出力するために、受けたデータに対して以下のような処理を行うものである。
【０１１２】
出力制御部３１は、デコードされた画像データを受け、かつ、表示部３３ａへのインタフェースがアナログである場合、例えばＤ／Ａ変換を行い、変換後のアナログデータを表示部３３ａへ出力する。また、出力制御部３１は、デコードされた画像データを受け、かつ、表示部３３ａへのインタフェースがデジタルである場合、そのまま表示部３３ａへ出力する。また、出力制御部３１は、表示部３３ａへのインタフェース（例えば、ＲＧＢ，ＹＣｒＣｂなど）に合わせて出力してもよい。
【０１１３】
また、出力制御部３１は、デコードされた音声データを受けた場合、例えば、Ｄ／Ａ変換を行い、アナログデータを音声出力部３３ｂに出力する。
【０１１４】
さらに、出力制御部３１は、デコードされた著作権保護通知用テキストデータを受けた場合、該テキストデータに対応する文字、もしくは該文字を含む画像を表示部３３ａに表示させる。
【０１１５】
本実施形態におけるデータの送受信処理の流れは、図４および図５に示した上記第１の実施の形態とほぼ同様であり、送信不可データとして著作権保護通知用テキストデータが送信され、デジタルデータとして画像または音声データが送信される点で異なるだけである。よって、ここでは詳細な説明を省略する。
【０１１６】
本実施形態によれば、ユーザは、送信指示したデジタルデータがそのまま画像又は音声として受信装置２０２により出力されれば、著作権保護が必要でないことを認識することができる。さらに、ユーザは、著作権保護通知用テキストデータに対応する文字が受信装置２０２と接続された表示部３３ａに表示されることで、送信しようとしたデジタルデータが著作権保護のために送信できないことを容易に認識することができる。
【０１１７】
（第４の実施の形態）
本発明のデジタル著作物伝送システムに関する他の実施形態について、図９に基づいて説明すれば、以下のとおりである。なお、説明の便宜上、前記第１から第３の実施の形態にて説明した図面と同じ機能を有する部材については、同じ符号を付記し、その説明を省略する。
【０１１８】
図９は、本実施形態に係る送信装置３０１および受信装置３０２の構成を示すブロック図である。
【０１１９】
送信装置３０１は、上記送信装置２０１と比較して、著作権保護通知用テキスト格納部１８の代わりに著作権保護通知用フラグ格納部１９を備えている点で異なる。
【０１２０】
著作物保護通知用フラグ格納部１９は、送信指示されたデジタルデータを著作権保護のために送信できないことを意味する送信不可データであるフラグ信号（著作権保護通知用フラグ信号）を記憶するものである。著作権保護通知用フラグ格納部１９には予め生成された著作権保護通知用フラグ信号が格納されていてもよいし、保護情報検出部１２が「コピー自由」以外の著作権保護情報を読み取った後に図示しないフラグ信号生成部で生成された著作権保護通知用フラグ信号が格納されてもよい。
【０１２１】
なお、著作権保護通知用フラグ信号は、予め定められた１ビット以上のデジタル信号（例えば「１」）で構成されている。
【０１２２】
なお、本実施形態の送信不可通知部１５は、保護情報検出部１２から「コピー自由」ではない著作物保護情報を受けたとき、送信不可データとして、著作物保護通知用フラグ格納部１９から著作物保護通知用フラグ信号を読み出し、通信部１４を介して、該著作物保護通知用フラグ信号を伝送路３に送信するものとする。
【０１２３】
このように、送信装置３０１は、送信指示されたデジタルデータが著作権保護のため送信できない場合、送信不可データである著作権保護通知用フラグ信号を受信装置３０２に送信する。
【０１２４】
また、図７に示されるように、受信装置３０２は、上記受信装置２０２と比較して、著作権保護通知用テキストデコード部３２の代わりに著作権保護通知用フラグデコード部３４を、出力制御部３１の代わりに出力制御部（表示制御手段、音声出力制御手段）３６を備え、さらに出力データ格納部３５を備えている点で異なる。
【０１２５】
著作権保護通知用フラグデコード部３４は、通信部２１から受けた著作権保護通知用フラグデータをデコードし、デコードした著作権保護通知用データを出力制御部３１に出力するものである。
【０１２６】
出力データ格納部３５は、予め生成された、著作権保護のためにデジタルデータの送受信ができないことを示す画像データを格納するものである。例えば、出力データ格納部３５は、「著作権保護のため送信できません」という文字を含む画像を格納している。
【０１２７】
出力制御部３６は、画像／音声デコード部３０から受けた画像データ及び音声データに対して以下のような処理を行い、出力部３３に出力するとともに、著作権保護通知用フラグデコード部３４から著作権保護通知用フラグ信号を受けた場合には、出力データ格納部から出力データを読み出し、読み出した出力データを出力部３３に出力するものである。
【０１２８】
出力制御部３６は、デコードされた画像データを受け、かつ、表示部３３ａへのインタフェースがアナログである場合、例えばＤ／Ａ変換を行い、変換後のアナログデータを表示部３３ａへ出力する。また、出力制御部３６は、デコードされた画像データを受け、かつ、表示部３３ａへのインタフェースがデジタルである場合、そのまま表示部３３ａへ出力する。また、出力制御部３６は、表示部３３ａへのインタフェース（例えば、ＲＧＢ，ＹＣｒＣｂなど）に合わせて出力してもよい。
【０１２９】
また、出力制御部３６は、デコードされた音声データを受けた場合、例えば、Ｄ／Ａ変換を行い、アナログデータを音声出力部３３ｂに出力する。
【０１３０】
本実施形態における送信装置３０１のデータの送信処理の流れは、図４に示した上記第１の実施の形態とほぼ同様であり、送信不可データとして著作権保護通知用フラグ信号が送信される点でのみ異なる。また、本実施形態における受信装置３０２におけるデータの受信処理の流れは、図５に示した上記第１の実施の形態と比較して、送信不可データとして著作権保護通知用フラグ信号を受信する点、および、Ｓ１３において、著作権保護通知用フラグ信号を受けた出力制御部３１が出力データ格納部３５から著作権保護のためにデジタルデータの送受信ができないことを示す画像を読み出し、該画像を出力部３３に出力する点で異なる。
【０１３１】
本実施形態によれば、ユーザは、送信指示したデジタルデータがそのまま画像又は音声として受信装置３０２により出力されることで、著作権保護が必要でないことを認識することができる。さらに、ユーザは、受信装置３０２と接続された表示部３３ａに、著作権保護のためにデジタルデータの送受信ができないことを示す画像が表示されることで、送信しようとしたデジタルデータが著作権保護のために送信できないことを容易に認識することができる。
【０１３２】
なお、上記説明では、出力データ格納部３５が著作権保護のためにデジタルデータの送受信ができないことを示す画像データを記憶しているものとした。しかしながら、これに限らず、出力データ格納部３５は、著作権保護のためにデジタルデータの送受信ができないことを示す音声データやテキストデータを記憶しておいてもよい。出力データ格納部３５に音声データが格納されている場合、著作権保護通知用フラグ信号を受けた出力制御部３６は、著作権保護のためにデジタルデータの送受信ができないことを示す音声を音声出力部３３ｂに出力する。また、出力データ格納部３５にテキストデータが格納されている場合、著作権保護通知用フラグ信号を受けた出力制御部３６は、著作権保護のためにデジタルデータの送受信ができないことを示す文字もしくは該文字を含む画像を表示部３３ａに出力する。これにより、ユーザは、送信しようとしたデジタルデータが著作権保護のために送信できないことを容易に認識することができる。
【０１３３】
また、上記各実施の形態において、デジタル著作物格納部１１・１１１・２１１は、送信装置１・１０１・２０１・３０１の内部に設けられているとした。しかしながら、デジタル著作物格納部１１・１１１・２１１は、送信装置１・１０１・２０１・３０１の外部に設けられ、送信装置１・１０１・２０１・３０１と接続される記録媒体として構成してもよい。
【０１３４】
最後に、送信装置１・１０１・２０１・３０１および受信装置２・１０２・２０２・３０２の各ブロックは、ハードウェアロジックによって構成してもよいし、次のようにＣＰＵを用いてソフトウェアによって実現してもよい。
【０１３５】
すなわち、送信装置１・１０１・２０１・３０１および受信装置２・１０２・２０２・３０２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである送信装置１・１０１・２０１・３０１および受信装置２・１０２・２０２・３０２の制御プログラムのプログラムコード（実行形式プログラム、中間コードプログラム、ソースプログラム）をコンピュータで読み取り可能に記録した記録媒体を、上記送信装置１・１０１・２０１・３０１および受信装置２・１０２・２０２・３０２に供給し、そのコンピュータ（またはＣＰＵやＭＰＵ）が記録媒体に記録されているプログラムコードを読み出し実行することによっても、達成可能である。
【０１３６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３７】
また、送信装置１・１０１・２０１・３０１および受信装置２・１０２・２０２・３０２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３９】
本発明の送信装置および受信装置によれば、送信指示のあったデータを著作権保護のため送信できなくても、ユーザに混乱が生じないため、著作権保護のデータの送信する送信装置（例えば、携帯電話）および受信装置（例えば、テレビ）に適用できる。
【図面の簡単な説明】
【０１４０】
【図１】第１の実施の形態に係るデジタル著作物伝送システムの構成を示すブロック図である。
【図２】デジタルデータの構成を示す図である。
【図３】送信装置が備える保護情報格納部が記憶する保護情報テーブルの一例を示す図である。
【図４】第１の実施の形態に係る送信装置のデータの送信処理の流れを示すフローチャートである。
【図５】第１の実施の形態に係る受信装置のデータの受信処理の流れを示すフローチャートである。
【図６】第１の実施の形態に係る送信装置の変形例を示すブロック図である。
【図７】第２の実施の形態に係るデジタル著作物伝送システムの構成を示すブロック図である。
【図８】第３の実施の形態に係るデジタル著作物伝送システムの構成を示すブロック図である。
【図９】第４の実施の形態に係るデジタル著作物伝送システムの構成を示すブロック図である。
【図１０】従来のデジタル著作物伝送システムの構成を示すブロック図である。
【符号の説明】
【０１４１】
１・１０１・２０１・３０１    送信装置
２・１０２・２０２・３０２    受信装置
１２    保護情報検出部（著作権保護検出手段）
１５    送信不可通知部（送信不可通知手段）
２３    画像出力制御部（表示制御手段）
２５・３３ａ    表示部
２７    音声出力制御部（音声出力制御手段）
２９・３３ｂ    音声出力部
３１    出力制御部（表示制御手段）
３６    出力制御部（表示制御手段、音声出力制御手段）
【図１】
2006309348.tif 000003
【図２】
2006309348.tif 000004
【図３】
2006309348.tif 000005
【図４】
2006309348.tif 000006
【図５】
2006309348.tif 000007
【図６】
2006309348.tif 000008
【図７】
2006309348.tif 000009
【図８】
2006309348.tif 000010
【図９】
2006309348.tif 000011
【図１０】
2006309348.tif 000012